(57)【特許請求の範囲】
【請求項１】
床面清掃用ポリッシャーにおける端部に設けられた回転板に、面ファスナーを介して着脱自在に貼付けられるスポンジたわしにおいて、
前記回転板の周方向に複数に分割され、
該複数に分割された内の、少なくとも１つはメラミンスポンジであり、残余は不織布のスポンジであり、
前記メラミンスポンジは、面ファスナー層とメラミンスポンジ層との間に、通常のスポンジ層を介在していることを特徴とするポリッシャー用スポンジたわし。
【発明の詳細な説明】
【技術分野】
【０００１】
本発明は、床面清掃用ポリッシャーにおける底面の回転板に、面ファスナーを介して着脱自在に貼付けられるスポンジたわしに関する。
【背景技術】
【０００２】
底面に回転する清掃用パッドを備え、作業者が操作竿を操作して床面上を移動させることで、床面の清掃や艶出しを行う床面清掃用ポリッシャーは、たとえば特許文献１で示されている。
【０００３】
特許文献１の清掃用パッドはブラシであるが、特許文献２には、スポンジバフが示されている。そして、この特許文献２では、スポンジバフの上面に面ファスナーのＢ面が設けられており、ポリッシャーにおける底面の回転板側のＡ面と着脱自在となっている。
【先行技術文献】
【特許文献】
【０００４】
【特許文献１】特開２０１３−１７６８６号公報
【特許文献２】特開２００１−１７０８７２号公報
【発明の概要】
【発明が解決しようとする課題】
【０００５】
特許文献２では、スポンジバフの着脱が容易で、床面の材質や汚れの状態等に応じて、容易にスポンジバフを交換することができる。しかしながら、特許文献１や特許文献２の円盤状の清掃用パッド（スポンジたわし）を回転させて汚れを落すポリッシャーの場合、部屋の隅角部の清掃や艶出しは、手作業になる。勿論、床面に設置や敷設されている機器や配管の周囲、或いは段差なども手作業である。したがって、作業者は、清掃用パッド（スポンジたわし）が複数種類必要な場合はその複数と、手作業用も１または複数のスポンジたわしを持ち歩かなければならず、煩雑である。
【０００６】
また、ポリッシャー用スポンジたわしは、外周側が減り、内周側が残る片減りを生じ、無駄が生じ易い。
【０００７】
さらにまた、スポンジたわしがメラミンスポンジである場合、該メラミンスポンジは、メラミン樹脂を発泡させることで、メラミン樹脂の泡を固化させたような態様であり、床面の微細な凹凸に入り込んだ汚れ、たとえば靴跡（ヒールマーク）を、消しゴムのように巻き込んで除去するので、効果的に汚れを落し、艶出しを行うことができる。しかしながら、その分、摩擦（抵抗）が大きく、特に潤滑用の水が上手く供給されず、摩擦熱で水分の蒸発が進むと、より一層抵抗が大きくなり、ポリッシャーが過負荷となって、回転が止まったり、ブレーカーが落ちたりし、作業性が悪いという問題もある。
【０００８】
本発明の目的は、無駄が生じ難く、作業効率を高めることができるポリッシャー用スポンジたわしを提供することである。
【課題を解決するための手段】
【０００９】
本発明のポリッシャー用スポンジたわしは、床面清掃用ポリッシャーにおける端部に設けられた回転板に、面ファスナーを介して着脱自在に貼付けられるスポンジたわしにおいて、前記回転板の周方向に複数に分割されていることを特徴とする。
【００１０】
上記の構成によれば、床面の清掃や艶出し作業などに使用されるポリッシャー用のスポンジたわしにおいて、該スポンジたわしは、ポリッシャーにおける端部、たとえば床面清掃の直立使用時に底面となる部分に設けられた回転板に、面ファスナーを介して着脱自在に貼付けられるようになっており、摩耗や床面の種類に対応して、極めて容易に交換可能となっている。
【００１１】
そこで本発明では、面ファスナーによる着脱容易な点に着目して、該スポンジたわしを複数に分割し、ポリッシャーから部分的に取り外せるようにする。したがって、円盤状のポリッシャーでは届かない部屋の隅角部や、床面に設置や敷設されている機器や配管の周囲、或いは段差などに対して、取り外した小さなスポンジたわしで、手磨きを行うことができ、作業性を極めて向上することができる。また、ポリッシャーで使用した場合、外周側が減り、内周側が残る片減りを生じ易いので、ポリッシャーですり減ったスポンジたわしを手磨きで使用して寿命まで無駄無く使用することができる。さらにまた、面ファスナーが不織布から成る場合、その不織布の面もたわしとして使用することができ、これによっても無駄無く使用することができる。
【００１２】
さらに、スポンジたわしが総て同じ種類に限らず、たとえば汚れ落しおよび艶出し用のメラミンスポンジと、そのメラミンスポンジの保水（給水）用および汚れ落し用の通常のスポンジとのように、異なる機能のスポンジを組合わせることで、作業効率を極めて向上することができる。
【００１３】
しかも、スポンジたわしを回転板の周方向に分割することで、各スポンジたわしは扇状となるので、手に持ち易く、また角部で効率良く、汚れ落しや艶出しを行うことができる。また、各スポンジたわしの間隔（隙間）を開けることで、半径方向に溝が形成されることになり、洗浄剤や研磨剤の供給や排出が円滑に行え、作業効率を向上することができるとともに、それによってポリッシャーへの負荷が軽くなり、回転が止まったり、ブレーカーが落ちたりすることを未然に防止することができ、これによっても作業効率を向上することができる。
【００１４】
また、本発明のポリッシャー用スポンジたわしでは、分割数は、周方向に等間隔に４つであることを特徴とする。
【００１５】
上記の構成によれば、前記扇は中心角が９０°の扇となるので、手に持ち易く、また中心側および外周側の角部が、総て９０°以内の鋭角で、何れの角部も有効に利用することができる。
【００１６】
さらにまた、本発明のポリッシャー用スポンジたわしでは、複数に分割された内の少なくとも１つはメラミンスポンジであることを特徴とする。
【００１７】
上記の構成によれば、メラミンスポンジは、メラミン樹脂を発泡させることで、メラミン樹脂の泡を固化させたような態様であり、床面の微細な凹凸に入り込んだ汚れ、たとえば靴跡（ヒールマーク）を、消しゴムのように巻き込んで除去するので、効果的に汚れを落し、艶出しを行うことができる。
【００１８】
また、本発明のポリッシャー用スポンジたわしでは、前記メラミンスポンジと、不織布のスポンジとを組合わせて成ることを特徴とする。
【００１９】
上記の構成によれば、メラミンスポンジは上記のように汚れ落しの効果が大きいものの、メラミンスポンジは骨材（摩擦の大きい材料）を練り込んでいるので、ポリッシャーに与える抵抗が大きく、摩擦による発熱によって水分が蒸発すると、より一層抵抗が大きくなる。そこで、不織布のスポンジと組合わせることで、不織布のスポンジの保水（給水）効果を利用して、前記のメラミンスポンジによる問題を抑えることができる。
【００２０】
さらにまた、本発明のポリッシャー用スポンジたわしでは、前記メラミンスポンジは、面ファスナー層とメラミンスポンジ層との間に、通常のスポンジ層を介在していることを特徴とする。
【００２１】
上記の構成によれば、メラミンスポンジと不織布のスポンジとを組合わせて使用する場合に、相対的に、不織布のスポンジは軟らかくポリッシャーの重量で沈み込むのに対して、メラミンスポンジは硬く沈み込みは少ない。そこで、メラミンスポンジの中間に通常のスポンジの層を挟み込むことで、この通常のスポンジの層が沈み込み、他のメラミンスポンジや不織布のスポンジとの高さが揃い易い。
【００２２】
したがって、各スポンジの摩耗を揃え易くなる。
【発明の効果】
【００２３】
本発明のポリッシャー用スポンジたわしは、以上のように、床面の清掃や艶出し作業などに使用されるポリッシャー用のスポンジたわしにおいて、ポリッシャーの回転板に面ファスナーを介して着脱自在に貼付けられ、その回転板の周方向に複数に分割されている。
【００２４】
それゆえ、取り外した小さなスポンジたわしで、手磨きを行うことができ、作業性を極めて向上することができるとともに、ポリッシャーですり減ったスポンジたわしを手磨きで使用して寿命まで無駄無く使用することができる。また、メラミンスポンジと、その保水（給水）用および汚れ落し用の不織布のスポンジとのように、異なる機能のスポンジを組合わせることで、作業効率を極めて向上することができる。
【図面の簡単な説明】
【００２５】
【図１】本発明の実施の一形態に係るスポンジたわしを用いるポリッシャーの使用状態である直立状態での斜視図である。
【図２】前記ポリッシャーを横倒しにした状態をスポンジたわし側から見た斜視図である。
【図３】前記ポリッシャーを横倒しにした状態をスポンジたわし側から見た斜視図である。
【図４】前記スポンジたわしを分割した小片で、手磨きしている状態を説明する斜視図である。
【図５】前記スポンジたわしを構成するメラミンスポンジの斜視図である。
【図６】前記メラミンスポンジの断面構造を説明するための側面図である。
【図７】前記スポンジたわしを構成する不織布のスポンジの斜視図である。
【図８】前記不織布のスポンジの断面構造を説明するための側面図である。
【発明を実施するための形態】
【００２６】
図１は、本発明の実施の一形態に係るポリッシャー用スポンジたわし（以下、スポンジたわしと言う）２を用いるポリッシャー１の斜視図である。本発明は、スポンジたわし２に特徴を有するもので、このポリッシャー１自体は、前記の特許文献１に示されたものを用いることができる。このポリッシャー１は、床面の清掃や艶出し作業などに使用されるもので、図１は床面清掃の直立使用時の状態を示している。清掃や艶出し作業では、作業者が操作竿１１を操作して該ポリッシャー１を床面上で移動させつつ、コントローラ１２の操作によって、電源線１３を介して供給される電力で、本体１４内の図示しないモータが回転し、２つのスポンジたわし２を相互に逆方向に回転させる。
【００２７】
これによって、姿勢を安定させつつ、スポンジたわし２の直下の床面の清掃や艶出しを行えるようになっている。図１の例では、ポリッシャー１には、姿勢を安定させつつ、床面に対して前記スポンジたわし２を垂直に押し当てられるように、補助輪１５が、前記本体１４の下方の作業者側に設けられている。
【００２８】
図２および図３は、前記ポリッシャー１を横倒しにした状態を、底面、すなわちスポンジたわし２側から見た斜視図である。後に詳述するように、図２はスポンジたわし２を貼付けた状態を示し、図３は一部を取り外した状態を示す。ポリッシャー１における端部、たとえば前記の直立使用時に底面となる部分には、前記モータで回転駆動される回転板１６が設けられている。その回転板１６には、面ファスナーのＡ面を構成する不織布が貼付けられており、後述するスポンジたわし２側において面ファスナーのＢ面を構成する不織布とによって、該回転板１６からスポンジたわし２は着脱自在となっている。これによって、該スポンジたわし２は、摩耗や床面の種類に対応して、極めて容易に交換可能となっている。
【００２９】
上述の説明では、面ファスナーにおいて、前記回転板１６側とスポンジたわし２側とで、一方がフック状に起毛、他方がループ状に密集した起毛であるが、両者にフックとループとの両方が植え込まれてフック面とループ面との区別のないタイプであってもよく、起毛も、マッシュルーム状や鋸歯状など、ポリッシャー１のトルク（回転に対する外れ難さ）と、着脱性とに応じて、面ファスナーの構造は、適宜選択されればよい。
【００３０】
前記ポリッシャー１の端部において、スポンジたわし２の周囲には、安全のため、ゴミの取込み防止のため、或いは洗浄液等の飛散防止のために、スカート１７が設けられている。
【００３１】
注目すべきは、本実施形態のスポンジたわし２では、前記の面ファスナーによる着脱容易な点に着目して、該スポンジたわし２を複数に分割し、ポリッシャー１の回転板１６から部分的に取り外せるようにすることである。図２および図３の例では、周方向に等間隔に４分割し、上述のように、図２は４つを総て貼付けた状態を示し、図３は図面に向かって左側の回転板１６で、２つを取り外した状態を示している。そして、図２および図３の例では、不織布のスポンジ３と、メラミンスポンジ４とが、組合わせて使用され、周方向に交互に配置されている。
【００３２】
したがって、各スポンジ３，４は、図４で示すような、ハンドツールとして使用可能になり、特許文献２の円盤状のポリッシャーでは届かない部屋の隅角部や、床面に設置や敷設されている機器や配管の周囲、或いは段差などに対して、取り外した小さなスポンジたわしで、手磨きを行うことができ、作業性を極めて向上することができる。図４の例は、不織布のスポンジ３を、水道の蛇口５の周りの洗浄および艶（磨き）出しに使用する例を示している。
【００３３】
また、ポリッシャー１で使用した場合、特にメラミンスポンジ４で、外周側が減り、内周側が残る片減りを生じ易い。詳しくは、図５で示すように、４分割した半径線の部分４４，４５および外周の部分４６で、前記片減りが生じ易い。しかしながら、前記のハンドツールとして使用可能になることで、ポリッシャー１ですり減ったスポンジたわし２（４）を、手磨きで使用して、寿命まで無駄無く使用することができる。さらにまた、面ファスナーが上述のように不織布から成る場合、その不織布の面（図５〜図８における３１，４１）もたわしとして使用することができ、これによっても無駄無く使用することができる。
【００３４】
さらに、スポンジたわし２が総て同じ種類に限らず、たとえば図２および図３で示すような、汚れ落しおよび艶出し用のメラミンスポンジ４と、そのメラミンスポンジ４の保水（給水）用および荒汚れ落し用の不織布のスポンジ３とのように、異なる機能のスポンジを組合わせることで、作業効率を極めて向上することができる。
【００３５】
しかも、スポンジたわし２の分割を、回転板１６の周方向とすることで、各スポンジたわし２は扇状となるので、上述の図５で示すように、ハンドツールとして使用する際に、手に持ち易く、また角部で効率良く、汚れ落しや艶出しを行うことができる。また、図２および図３で示すように、各スポンジたわし２の間隔（隙間）を開けることで、半径方向に溝が形成されることになり、洗浄剤や研磨剤の供給や排出が円滑に行え、作業効率を向上することができるとともに、それによってポリッシャー１への負荷が軽くなり、回転が止まったり、ブレーカーが落ちたりすることを未然に防止することができ、これによっても作業効率を向上することができる。
【００３６】
また、周方向に等間隔に４つに分割することで、各スポンジ３，４は、中心角が９０°の扇となるので、手に持ち易く、また中心側および外周側の角部が、総て９０°以内の鋭角で、何れの角部も有効に利用することができる。これに対して、たとえば３分割の場合、中心角は１２０°の鈍角であり、角部が目地などに入り込み難くなる。
【００３７】
さらにまた、分割されたスポンジたわし２の内の少なくとも１つはメラミンスポンジ４とすることで、メラミンスポンジ４は、メラミン樹脂を発泡させることで、メラミン樹脂の泡を固化させたような態様であり、床面の微細な凹凸に入り込んだ汚れ、たとえば靴跡（ヒールマーク）を、消しゴムのように巻き込んで除去するので、効果的に汚れを落し、艶出しを行うことができる。
【００３８】
ところで、メラミンスポンジ４は、上記のように汚れ落しの効果が大きいものの、該メラミンスポンジ４は、骨材（摩擦の大きい材料）を練り込んでいるので、ポリッシャー１に与える抵抗が大きく、摩擦による発熱によって水分が蒸発すると、より一層抵抗が大きくなる。そこで、図２および図３で示すように、不織布のスポンジ３と組合わせる、特に周方向に交互に配置することで、不織布のスポンジ３の保水（給水）効果を利用して、前記のメラミンスポンジ４による問題を抑えることができる。
【００３９】
また、図５および図６で詳しく示すように、メラミンスポンジ４は、回転板１６に貼付く不織布から成る面ファスナー層４１と、メラミンスポンジ層４２と、それらの間に介在される通常のスポンジ層４３とを備えて構成される。同様に図７および図８で詳しく示すように、不織布のスポンジ３は、回転板１６に貼付く不織布から成る面ファスナー層３１と、洗浄用の不織布層３２と、それらの間に介在される通常のスポンジ層３３とを備えて構成される。
【００４０】
したがって、メラミンスポンジ４と不織布のスポンジ３とを組合わせて使用する場合に、相対的に、不織布のスポンジ３は軟らかくポリッシャーの重量で沈み込むのに対して、メラミンスポンジ４は硬く沈み込みは少ない。そこで、メラミンスポンジ４の中間に通常のスポンジ層４３を挟み込むことで、この通常のスポンジ層４３が沈み込み、他のメラミンスポンジ４や不織布のスポンジ３との高さが揃い易くなり、各スポンジ３，４の摩耗を揃え易くなる。
【００４１】
なお、特開２００９−１８９７７０号公報には、ブラシであるが、周方向に８分割した床面清掃用ポリッシャーの清掃用パッドが示されている。また、ブラシ単体が手作業に使用可能なことも示されている。しかしながら、ブラシにつき、ブラシ毛の植立された基台が、ポリッシャーの回転板に爪とフックで固定されている。したがって、頻繁に脱着して手作業とポリッシャーの機械作業とを切り換えたり、スポンジの角や裏面（面ファスナーのＢ面の不織布）まで、洗浄や研磨に使用するという発想は無い。
【符号の説明】
【００４２】
１    ポリッシャー
１１    操作竿
１２    コントローラ
１４    本体
１６    回転板
１７    スカート
２    ポリッシャー用スポンジたわし
３    不織布のスポンジ
３１    面ファスナー層
３２    洗浄用の不織布層
３３    通常のスポンジ層
４    メラミンスポンジ
４１    面ファスナー層
４２    メラミンスポンジ層
４３    通常のスポンジ層
５    水道の蛇口
【図１】
0006417196.tif 000002
【図２】
0006417196.tif 000003
【図３】
0006417196.tif 000004
【図４】
0006417196.tif 000005
【図５】
0006417196.tif 000006
【図６】
0006417196.tif 000007
【図７】
0006417196.tif 000008
【図８】
0006417196.tif 000009